Podtech/llm-jp-corpus-v4-ja_patent huggingface dataset:
(57)【要約】【課題】  補助者を要することなく着用者自身で帯を結ぶことが至極簡単に一人で行うことができ、仕上がりが確実で形崩れもしない、使用後の整理、保存が容易な簡易半巾帯を提供することにある。【解決手段】  着用者の胴部に周回状に装着する胴回部５と、着用者の後部側に装着する飾り部６及び飾り部６を巻き包む包帯部７とを別体で構成した簡易半巾帯において、該胴回部５は着用者の胴部に装着しやすいように両端部に結び紐８ａ，８ｂを取り付け、着用者の好みに整形できる該飾り部６と飾り部６を巻き包む該包帯部７の片端の両コーナ部９ａ，９ｂに結び紐を縫着した３種類で構成した。【選択図】  図１
2006089895.tif 000002
【特許請求の範囲】
【請求項１】
胴回部、飾り部、包帯部の３部で構成した半巾帯である。着用者の胴部に周回状に装着する胴回部と、着用者の後部側に装着する飾り部及び飾り部を巻き包む包帯部とを別体で構成した半巾帯において、該胴回部は着用者の胴部に装着可能な帯胴体の両端部に縫着された結び紐とで構成し、該包帯部の片端側の両コーナ部には、飾り部を包んだ後に着用者の胴部に装着するために結び紐を縫着し構成したことを特徴とする簡易半巾帯。
【請求項２】
該胴回部は略長方形状を有し、片端側の一方は斜めに整形した長端部に、他方は端部の中央部に結び紐を縫着したことを特徴とする請求項１記載の簡易半巾帯
【請求項３】
該飾り部は略長方形状を有し、着用者の好みの大きさや形を自由に整えることを特徴とする請求項１記載の簡易半巾帯
【請求項４】
該包帯部は略長方形状を有し、片端側の両コーナ部に結び紐を縫着し、お太鼓部の中央部を包帯部の結び紐が縫着してある側から巻き、胴回部の上から結び紐で固定することを特徴とする請求項１記載の簡易半巾帯
【発明の詳細な説明】
【発明の詳細な説明】
【技術分野】
【０００１】  本発明は、従来着付けの難しかった帯の装着を極めて簡単に装着でき、装着後の安定性に優れた簡易半巾帯に関するものである。
【背景技術】
【０００２】  従来の帯は、和服を着上げた後に一本の帯で飾り部を結びを行うが、初心者にとって鏡に投影した自分の姿を見ながら帯を結ぶことは不可能であり、熟練した補助者が着用者の後部側で手助けしなければならない欠点がある。
【発明が解決しようとする課題】
本発明は上記課題に鑑みなされたもので、その目的とするところは、補助者を要することなく着用者自身が好みのお太鼓の形にして帯を結ぶことが至極簡単に一人で行うことができ、仕上がりが確実で形崩れもしない簡易半巾帯を提供しようとするものである。
【課題を解決するための手段】
【０００３】  上記課題を解決するために本発明では、着用者の胴部に周回状に装着する胴回部と、着用者の後部側に装着する飾り部及び飾り部を巻き包む包帯部とを別体で構成した簡易半巾帯において、該胴回部は着用者の胴部に装着しやすいように両端部に結び紐を取り付け、着用者自身の好みの形に整形できる該飾り部と飾り部を巻き包む該包帯部の片端部の両コーナ部に結び紐を縫着した３種類で構成した。
【発明を実施するための最良の形態】
【０００４】  以下に本発明に係る簡易半巾帯の具体的実施形態を図面を参照して詳細に説明する。図１は本発明の簡易半巾帯の展開図、図２は胴回部の正面図、図３は飾り部、図４は包帯部である。
【実施例１】
【０００５】  以下、本発明の実施例について説明する。
本発明の簡易半巾帯１は、表地のみ縫着して簡易半巾帯１として使用できるようにしたものであり、図１のように胴回部５と飾り部６及び包帯部７を別体に構成したものである。胴回部５は着用者が胴部に周回状に装着し、飾り部６は着用者の好みの形にし、包帯部７で固定し着用者が後部側に装着するものである。図２を用いて胴回部５を説明する。胴回部５は帯胴体７とこの帯胴体７の両端部に縫着された結び紐８ａ、８ｂとから構成されている。【０００６】  次に、飾り部６について図３を用いて説明する。図３飾り部６の展開図である。飾り部６は飾り体１１を長手方向で着用者の肩幅程度に折りたたみ長手方向の中央部を上下につまみ整形する。【０００７】  次に、図４は包帯部７の展開図である。包帯部７は、帯包体１１の片端の両コーナ部に結び紐９ａ、９ｂから構成されている。
【発明の効果】
【０００８】  本発明は簡易半巾帯であるため、次のような効果を奏する。すなわち、
（１）胴回部を装着し、引き続き飾り部を着用者の後部側に装着することにより補助者を要することなく着用者自身で帯結びが至極簡単に行える。
（２）飾り部の形が自由に整形できる。
（３）包帯部の形が着用者の好みに応じて自由にできる。
（４）胴回部、包帯部とも着用者の前面で紐結びできる。
（５）胴回部、飾り部、包帯部とも使用後の整理、保存が容易にできる。
【図面の簡単な説明】
【図１】本発明に係る本発明の簡易半巾帯の展開図である。
【図２】本発明に係る本発明の胴回部の正面図である。
【図３】本発明に係る本発明の飾り部の正面図である。
【図４】本発明に係る本発明の包帯部の正面図である。
【符号の説明】
１    簡易半巾帯
５    胴回部
６    飾り部
７    帯胴体
８ａ  結び紐
８ｂ  結び紐
９ａ  結び紐
９ｂ  結び紐
１０  帯胴体
１１  太鼓体
１２  帯包体
【図１】
2006089895.tif 000003
【図２】
2006089895.tif 000004
【図３】
2006089895.tif 000005
【図４】
2006089895.tif 000006
(57)【要約】【課題】本発明はマフラーと手袋を一体にすることにより、紛失防止・着脱を容易にしたマフラー付き手袋を提供する。【解決手段】手袋の手首の長さの内側にマフラー端を差し込み、マフラーと手袋を一体にしたマフラー付き手袋。【選択図】図１
2006089891.tif 000002
【特許請求の範囲】
【請求項１】
手袋の手首の長さの内側にマフラーの端を指し込み、マフラーと手袋が一体になったマフラー付き手袋。
【発明の詳細な説明】
【技術分野】
【０００１】  本発明はマフラーと手袋を一体にすることにより、紛失防止・着脱を容易にしたマフラー付き手袋で、両側から手を入れられるように、手袋に３つの指を設けたことが特徴である。
【背景技術】
【０００２】  従来、マフラーと手袋は別々になっていた。
【発明の開示】
【発明が解決しようとする課題】
【０００３】  そのために、次のような問題点があった。
（イ）用事があり手袋を出し入れしているうちに、片手だけ失くすことがあった。
（ロ）また、はめる時は手袋の左右を確認しなければならず、子供・老人・手の不自由な人のみならず、煩わしい思いをしている人が多かった。
（ハ）残った片手だけでは寒く、また新しく買うのは経済的にも損失だった。
本発明は、これらの問題点を解決するためになされたものである。
【課題を解決するための手段】
【０００４】  手袋の手首とマフラーの端を設ける。
手袋の手首にマフラーの端を差し込む。
本発明は、以上の構成よりなるマフラー付き手袋である。
【発明の効果】
【０００５】  本発明を使用することにより、子供・老人・手の不自由な人のみならず、すべての人々にとって紛失防止・着脱が容易になるのである。
また、両側から手を入れられて、方向性（表裏）を持たない。
【発明を実施するための最良の形態】
【０００６】  以下、本発明の実施の形態について説明する。
（イ）手袋（２）の手首（３）の部分に、マフラー（１）の端（４）を差し込む。
（ロ）マフラー（１）の端（４）の部分と手袋（２）の親指側、小指側の両端を縫い付ける。
（ハ）手袋に３つの指を設ける。
（ニ）マフラー（１）と手袋（２）の手首部分の両端だけを縫いつけ、手袋の中は空洞なので、マフラー（１）を反対にしても手を入れることができる。
（ホ）指の部分が３つあるので、左手にも右手にも対応できる。
【図面の簡単な説明】
【０００７】
【図１】本発明の平面図
【図２】本発明を分解した状態の平面図
【図３】本発明の使用状態を示した説明図
【符号の説明】
【０００８】  １  マフラー
２  手袋
３  手袋の手首
４  マフラーの端
【図１】
2006089891.tif 000003
【図２】
2006089891.tif 000004
【図３】
2006089891.tif 000005
(57)【要約】【課題】２輪車の右左折時に他車による全方向からの視認性を高め安全性を向上させる。【解決手段】ヘルメットに車両の方向指示器と遠隔的に接続され、連動する手段を設けたヘルメット用方向指示器を取り付ける。【選択図】図１
2006089899.tif 000002
【特許請求の範囲】
【請求項１】
市販されている２輪用ヘルメット両側部に両面粘着テープにより取り付けられ車体の方向指示器と遠隔的に接続され連動する手段を設けたヘルメット用方向指示器
【請求項２】
車体の方向指示器と連動する手段が有線装置を利用した請求項１記載のヘルメット用方向指示器
【請求項３】
車体の方向指示器と連動する手段が無線装置を利用した請求項１記載のヘルメット用方向指示器
【請求項４】
方向指示器が電球である請求項１記載のヘルメット用方向指示器
【請求項５】
方向指示器が発光ダイオード（ＬＥＤ）である請求項１記載のヘルメット用方向指示器
【発明の詳細な説明】
【技術分野】
【０００１】本発明は市販されるヘルメット両側部に両面粘着テープにより取り付けられ２輪車の車体の方向指示器と遠隔的に接続され連動する手段を設けたヘルメット用方向指示器
【背景技術】
【０００２】従来２輪車の方向指示器は車体前後に小型のものが設けられているだけであり、他の車両からの視認性（特に夜間、雨天）は低く、安全性は十分ではなかった。
【発明の開示】
【発明が解決しようとする課題】
【０００３】４輪車においては近年、ドアミラー等に補助方向指示器が設けられ、安全性が大きく向上したが、２輪車では構造上高所取り付け型の方向指示器は不可能であり、従来からの方向指示器だけでは、右、左折時に他車からの視認性が低いため、安全性も低いという問題点があった。
【課題を解決するための手段】
【０００４】本発明は２輪車における車体高所に相当するヘルメット両側部に方向指示器を取り付けることで２輪車の安全性を大きく向上させる。
【発明の効果】
【０００５】本発明をヘルメットに取り付けることにより２輪車の他の車両からの視認性（特に夜間、雨天）が著しく向上し、右、左折時の安全性に有効に働く、追突、接触事故を減らすことができる。
【発明を実施するための最良の形態】
【０００６】以下、本発明の実施の形態を図１〜図３に基づいて説明する。【０００７】有線装置を用いた場合、方向指示器（１）をヘルメット（１６）両側部に取り付け車体に取り付けられた接続コネクター（９）からのびる接続コード（８）のコネクター（５）を方向指示器側のプラグ（４）に接続する。車両の方向指示器に連動してヘルメット側、方向指示器（１）に信号を送ることにより車体側方向指示器と連動して点減する。【０００８】無線装置を用いた場合、ヘルメット側方向指示器（１）にバッテリーボックス（受信機）（７）を接続し、車体側接続コネクター（９）に発信機（１０）を取り付ける。車体側方向指示器と連動し、発信機（１０）より、無線信号がバッテリーボックス（受信機）（７）に送られ車体側方向指示機と連動して点減する。
【図面の簡単な説明】
【０００９】
【図１】本発明の有線方式の側面図である。
【図２】本発明の無線方式の後方図である。
【図３】本体の上部断面図
【符号の説明】
【００１０】（１）本体方向指示器
（２）左右接続コード
（３）コード
（４）プラグ
（５）コネクター
（６）車体側接続用プラグ
（７）バッテリーケース（受信機）
（８）接続コード
（９）車体側コネクター
（１０）発信機
（１１）黄色クリアーレンズ
（１２）ＬＥＤ
（１３）制御基板
（１４）リアカバー
（１５）両面粘着テープ
（１６）ヘルメット
（１７）接続コード
【図１】
2006089899.tif 000003
【図２】
2006089899.tif 000004
【図３】
2006089899.tif 000005
(57)【要約】【課題】  水泳やビーチバレー等と言ったアクティブな動きに対してもトップの捲れ上がりを防止し、また、商品ディスプレイの際にハンガーからボトムだけが外れて落ちてしまうことを防止したセパレート水着を提供すること。【解決手段】  トップ２とボトム３からなるセパレート水着１において、トップ２内側の左右身頃と、ボトム３外側の左右身頃とに設けたスナップ釦２１，３１により、トップ２とボトム３の一体保持を可能とする。【選択図】図４
2006089901.tif 000002
【特許請求の範囲】
【請求項１】
トップとボトムからなるセパレート水着において、トップ内側の左右身頃と、ボトム外側の左右身頃とにスナップ釦を設け、トップとボトムの一体保持を可能としたことを特徴とするセパレート水着。
【請求項２】
前記ボトムに設けられるスナップ釦は、丈方向の全長に渡って設けられていることを特徴とする請求項１記載のセパレート水着。
【発明の詳細な説明】
【技術分野】
【０００１】
本発明は、トップとボトムからなるセパレート水着の改良、特に、トップ側の水着が捲くれ上がって腹部が露出しないようにしたセパレート水着に関する。
【背景技術】
【０００２】
セパレート水着は、肌の露出を嫌う女性や寒さにも強いことから多用されている。一般的なセパレート水着は、体の上半身を包むトップと下半身を包むボトムとから構成されている。
【発明の開示】
【発明が解決しようとする課題】
【０００３】
しかしながら、トップとボトムとは連結されていないため、水泳やビーチバレー等と言ったアクティブな動きをした場合にトップが捲れ上がり腹部が露出してしまうという問題があった。
【０００４】
また、商品をディスプレイする際には、ハンガーにトップ及びボトムを掛けるが、ボトムはハンガーのフック等に引掛けるだけであるため、ハンガーからボトムが外れて落ちてしまうという問題もあった。
【０００５】
本発明は前記した問題点を解決せんとするもので、その目的とするところは、水泳やビーチバレー等と言ったアクティブな動きに対してもトップの捲れ上がりを防止し、また、商品ディスプレイの際にハンガーからボトムだけが外れて落ちてしまうことを防止したセパレート水着を提供せんとするにある。
【課題を解決するための手段】
【０００６】
本発明のセパレート水着は前記した目的を達成せんとするもので、請求項１の手段は、トップとボトムからなるセパレート水着において、トップ内側の左右身頃と、ボトム外側の左右身頃とにスナップ釦を設け、トップとボトムの一体保持を可能としたものである。
【０００７】
請求項２の手段は、前記した請求項１において、前記ボトムに設けられるスナップ釦は、丈方向の全長に渡って設けたものである。
【発明の効果】
【０００８】
本発明のセパレート水着は、トップとボトムからなるセパレート水着において、トップ内側の左右身頃と、ボトム外側の左右身頃とにスナップ釦を設け、トップとボトムの一体保持を可能としたことにより、水泳やビーチバレー等と言ったアクティブな動きに対してもトップの捲れ上がりを防止することができる。また、商品ディスプレイの際にハンガーからボトムだけが外れて落ちてしまうことを防止できる。
【０００９】
また、前記ボトムに設けられるスナップ釦は、丈方向の全長に渡って設けられているため、着用者の身長差にも対応してトップの捲れ上がりを防止することができる。
【発明を実施するための最良の形態】
【００１０】
本発明は、トップ内側の左右身頃と、ボトム外側の左右身頃とにスナップ釦を設け、トップとボトムの一体保持を可能とした。
【実施例】
【００１１】
以下、本発明に係るセパレート水着の実施形態を図面を参照しながら説明する。
ここで、図１は本発明に係るセパレート水着の正面図、図２は図１の側面図、図３はスナップ釦の形成状態を示す説明図、図４はスナップ釦の取り付け状態を示す説明図である。
【００１２】
符号１は、本発明に係るセパレート水着を示している。該セパレート水着１は、着用者の上半身を包むトップ２と、下半身を包むボトム３とから構成されている。
前記トップ２は、その左右身頃の内側下部に複数の雄側スナップ釦２１が取り付けられている。また、前身頃にはトップ２の脱着時に使用するファスナ２２が形成されている。
【００１３】
前記ボトム３は、その左右身頃の外側に、雌側スナップ釦３１が取り付けられている。該雌側スナップ釦３１は、ウエスト部から裾部までの丈方向の全長に渡って設けられていることが望ましい。
【００１４】
このような構成したセパレート水着１は、トップ２をその雄側スナップ釦２１によってボトム３の雌側スナップ釦３１に係止することにより、トップ２とボトム３とを一体保持することができる。
このため、水泳やビーチバレー等と言ったアクティブな動きに対してもトップの捲れ上がりを防止することができ、また、商品ディスプレイの際にハンガーからボトムだけが外れて落ちてしまうことを防止できる。
【００１５】
また、ボトム３の丈方向の全長に渡って雌側スナップ釦３１を設けた場合には、着用者の身長差にも関係なく、トップ２とボトム３とを一体保持することができる。
【００１６】
上記実施形態においては、トップに雄側スナップ釦、ボトムに雌側スナップ釦を形成したものを用いて説明したが、これに限定されるものではない。また、上記スナップ釦は、ホックやボタンあるいは面ファスナー等であっても良い。
【産業上の利用可能性】
【００１７】
本発明はセパレート水着として説明したが、水着に限らず運動着としても適用できることは言うまでもない。
【図面の簡単な説明】
【００１８】
【図１】本発明に係るセパレート水着の正面図である。
【図２】図２は図１の側面図である。
【図３】図３はスナップ釦の形成状態を示す説明図である。
【図４】図４はスナップ釦の取り付け状態を示す説明図である。
【符号の説明】
【００１９】
１  ・・・セパレート水着
２  ・・・トップ
２１・・・雄側スナップ釦
２２・・・ファスナ
３  ・・・ボトム
３１・・・雌側スナップ釦
【図１】
2006089901.tif 000003
【図２】
2006089901.tif 000004
【図３】
2006089901.tif 000005
【図４】
2006089901.tif 000006
(57)【要約】  【課題】  道路における進路変更等を表す仮設標示を通行者の視線の方向を変更させることなく示すようにすることを課題とする。  【解決手段】  扁平な板状体により構成される本体と、道路を通行する者に対して示す標示の形状に前記本体を形作ることにより形成される標示部とを有する仮設道路標示具である。このような構成を有するので、標示部が示す標示が進行方向から読めるような向きとなるように本体を道路表面に置くことで自動車の運転者等に標示を示すことにより、道路表面で標示を示すことで運転者等は前方から視線をそらすことなく標示を確認することができ、複雑な路線変更が要求される場合でも事故が生じる危険性を軽減することができる。【選択図】  図１
2006089921.tif 000002
【特許請求の範囲】
【請求項１】
扁平な板状体により構成される本体と、
道路を通行する者に対して示す標示の形状に前記本体を形作ることにより形成される標示部と
を有する仮設道路標示具。
【請求項２】
前記標示は矢印である請求項１に記載の仮設道路標示具。
【請求項３】
前記標示の表面に発光する発光層を設けた請求項１又は２に記載の仮設道路標示具。
【発明の詳細な説明】
【技術分野】
【０００１】
本発明は道路を通る車や通行人に対して標示を示すための器具に関する。
【背景技術】
【０００２】
従来、道路工事等により車の運転者に対して進路の変更や交通制限を行う場合には、道路脇に矢印などの標示を描いた立て看板等を一時的に仮設標示として設けて、進路方向等の情報を運転者に伝えることが一般的である。
【発明の開示】
【発明が解決しようとする課題】
【０００３】
しかし、立て看板等は道路の側方に設けなければならないので、運転者は一端看板等を見るために目線が前方から離して、立て看板等でのどのように進めばいいのかを確認をし、それから、再び前方をみる動作を行わなければならない。すなわち、前方の進路方向確認のために注意が一定時間側方にそれてしまうので、安全上支障が生じる。特に迷路のようにいりくんだ工事区間では狭いところが多く、どのように通行したらよいかを立て看板等を見て確認しながら走ると視線が頻繁に前方からそれて大変危険である。
そこで、上記の問題に鑑みて、本発明は道路に一時的に設けられる進路変更等を表す仮設標示を通行者の視線の方向を変更させることなく示すようにすることを課題とする。
【課題を解決するための手段】
【０００４】
上記課題を解決するために、本発明は次のような構成を有する。
請求項１に記載の発明は、扁平な板状体により構成される本体と、道路を通行する者に対して示す標示の形状に前記本体を形作ることにより形成される標示部とを有する仮設道路標示具である。なお、扁平な板状体には、シート状体が含まれる。
請求項２に記載の発明は、前記仮設道路標示具において、前記標示を矢印としたものである。
請求項３に記載の発明は、前記仮設道路標示具において、前記標示の表面に発行する発光層を設けたものである。発光層としては、蛍光材料や、反射板、ＬＥＤやエレクトロルミネッセンスなどの電気発光素子などにより構成されるものが例示される。
【発明の効果】
【０００５】
請求項１に記載の発明は、標示部が示す標示が進行方向から読めるような向きとなるように本体を道路表面に置くことで自動車の運転者等に標示を示す。このように、道路表面で標示を示すことで運転者等は前方から視線をそらすことなく標示を確認することができ、複雑な路線変更が要求される場合でも事故が生じる危険性を軽減することができる。また、本体全体を標示の形状とすることで、四角形や円形のシートに標示を描く場合に比較して、標示を大きく表すことができ、結果として全体を小さくすることができるので、車が仮設道路標示具に乗り上げる可能性を少なくすることができる。
請求項２に記載の発明は、矢印の標示は本体を標示の形状に形作ることによる利点が大きく得られる。すなわち、矢印は進行方向が変わる点において方向を変える必要があり、全体が標示の形状となっていることで狭い通路などでも、設置に要する面が進路方向に沿うので、効率よく設置することができる。また、進路を自動車の運転者等に示すには矢印が最も直感的にわかりやすいものであり、この点においても、標示としての価値が高い。
請求項３に記載の発明は、表面に発光する発光層を設けることで、夜間に標示が発光し、運転者等に標示を認識させやすくすることができる。  
【発明を実施するための最良の形態】
【０００６】
以下、本発明の実施形態について、図面を参照しながら説明する。
図１に本発明の実施形態に係る仮設道路標示具Ｘの斜視図を示す。本仮説道路標示具Ｘは扁平な約厚さ８ｍｍの板状体である合成ゴムからなる本体１０により構成され、本体１０は全体の形状を標示としての矢印の形状に形づくられることで、標示部２０を構成している。標示部２０が構成する矢印は、幅が１５０ｍｍ、長さが６００ｍｍである。また、本体１０の表面には蛍光塗料が塗布してあり、発光層３０を形成している。さらに、本体の側面は自動車が乗り上げてもよいように傾斜１０ａが形成されている。なお、ここで示す仮設道路標示具Ｘは一例であり、双方向の矢印、曲がった矢印などの種々標示を持つものや異なる大きさを有するものを形成することができる。
次に、このような構成を有する仮設道路標示具Ｘの使用方法について説明する。図２に使用状態の例を表す模式図を示す。図２は道路Ａに工事箇所Ｃが存在するために通行に規制がかかっている状態を示している。このような状態において、仮設道路標示具Ｘの裏面に両面テープを貼り、これにより道路に仮設道路標示具Ｘを進路に合わせて固定していく。その後、工事が終わると、仮設道路標示具Ｘを道路から取り去る。なお、図２では両方向の矢印を示す仮設道路標示具Ｘ’も示されている。このように仮設道路標示具Ｘを道路に配置することで、自動車の運転者は前方に視線を向けたまま標示に従って進路を進むことができる。また、蛍光層３０により夜間でも標示が発光し、運転者の認識率を高くすることができる。
なお、本実施の形態では、標示として矢印を示しているが、標示はその他の標示を表すことも可能である。また、本実施の形態では表面に蛍光塗料を塗って発光層を構成いるが、そのほかに反射板により構成したり、ＬＥＤにより発光させるようにすることもできる。また、安定性を増すために本体の内部に鉄などの錘を埋め込むようにしてもよい。さらに、本仮設道路標示具は道路以外にも、駅や駐車場等の通路などで使用してもよい。
【図面の簡単な説明】
【０００７】
【図１】発明の実施形態に係る仮設道路標示具示す正面図である。
【図２】発明の実施形態に係る仮設道路標示具の使用方法を示す模式図である。
【符号の説明】
【０００８】
X    仮設道路標示具
１０  本体
２０  標示部
３０  発光層
【図１】
2006089921.tif 000003
【図２】
2006089921.tif 000004
(57)【要約】【課題】  半割しうる採取ロッドを使用して未硬化ソイルセメントの採取、検査をする方法と装置を提供する。【解決手段】  採取ロッドの半分を未硬化ソイルセメントコラム底部まで挿入し、次いで残りの採取ロッドを前記先に挿入している採取ロッドに沿って挿入し、採取ロッド内に未硬化ソイルセメントを採取した後前記ロッドを引き抜き、ロッドを分割し、取込まれた未硬化ソイルセメントの状況を観察することを特徴とするソイルセメントの検査および採取装置。【選択図】    図３
2006089931.tif 000002
【特許請求の範囲】
【請求項１】
採取ロッドの半分を未硬化ソイルセメントコラム底部まで挿入し、次いで残りの採取ロッドを前記先に挿入している採取ロッドに沿って挿入し、採取ロッド内に未硬化ソイルセメントを採取した後前記ロッドを引き抜き、ロッドを分割し、取込まれた未硬化ソイルセメントの状況を観察することを特徴とするソイルセメントの検査方法。
【請求項２】
採取ロッドの先端に原地盤土を採取する請求項１記載のソイルセメントの検査方法。
【請求項３】
半円形断面で両側に継手を兼ねたガイドレールが形成された樋状体を２分割可能に組合せてなるソイルセメント採取ロッド。
【発明の詳細な説明】
【技術分野】
【０００１】
この発明はソイルセメントパイルにおいてセメントが未硬化の間にソイルセメントを採取してその状態を検査確認する方法とその方法を実施するに際して使用するソイルセメント採取ロットに関するものである。
【背景技術】
【０００２】
地盤の土質状況を知るための試験方法、試料の採取方法および採用ロッドに関しては多種の方法装置が開発されている。
【０００３】
その最近の例が下記の特許文献に開示されている。
【特許文献１】特開２００２‐３５７０７３号公報
【特許文献２】特開２００３‐９６７５９号公報
【特許文献３】特開２００４‐４５８０１号公報
【特許文献４】特開２００４‐１１７０７４号公報
【特許文献５】特許第２８６６３１５号公報
【特許文献６】実用新案登録第３０４５１４８号公報
【発明の開示】
【発明が解決しようとする課題】
【０００４】
この発明は前記文献に示される技術内容と同種の改良地盤のコア採取装置に関するものである。
【０００５】
ところで前記特許文献に示される装置の構造は複雑であり、より簡単な構造で、使用が容易な方法および装置の開発が要望された。
【課題を解決するための手段】
【０００６】
この発明は採取ロッドの半分を未硬化ソイルセメントコラム底部まで挿入し、次いで残りの採取ロッドを前記先に挿入している採取ロッドに沿って挿入し、採取ロッド内に未硬化ソイルセメントを採取した後前記ロッドを引き抜き、ロッドを分割し、取込まれた未硬化ソイルセメントの状況を観察する。そして採取ロッドは半円形断面で両側に継手を兼ねたガイドレールが形成された樋状体を２分割可能に組合せてなる。
【発明の効果】
【０００７】
この発明は２分割された採取ロッドを未硬化セメントコラム中に挿入すればその内部に試料を全長的に採取することができ、しかも採取ロッドを分割することにより全長にわたって観察することができ、しかもその構成は簡単であり製作も容易である。
【発明を実施するための最良の形態】
【０００８】
施工機Ａに採取ロッド１を未硬化ソイルセメントコラムの改良体Ｂの原地盤土Ｃとなる底部まで回転貫入させ、採取ロッド１の先端に原地盤土Ｃを取り込む。
【０００９】
採取ロッド１は樋状半円形断面体を一本に組合せたもので、両側にレール１−２とガイドレール１−３を形成して継手をなしている。
【００１０】
採取に際しては施工機Ａを使用して２分割した採取ロッドの内半分を未硬化ソイルセメントコラムＢの底部まで挿入し、次いで残りの半分を先に挿入した半分に嵌めて挿入する。
【００１１】
その結果採取ロッド１内には未硬化ソイルセメントが充填される。またその先端には原地盤土が充填される。
【００１２】
次いで採取ロッドを引き抜き、採取ロッドを分割すると、内部に取り込まれた未硬化ソイルセメントの状況を観察することができる。
【図面の簡単な説明】
【００１３】
【図１】実地状況の立面図である。
【図２】採取ロッドの立面図である。
【図３】実地状況の説明立面図である。
【図４】実地状況の説明立面図である。
【図５】採取ロッドの平面図である。
【図６】採取ロッドの分解平面図である。
【符号の説明】
【００１４】
１‥‥採取ロッド、１−２‥‥レール、１−３‥‥ガイドレール
Ａ‥‥施工機  Ｂ‥‥未硬化セメントコラム  Ｃ‥‥原地盤土
【図１】
2006089931.tif 000003
【図２】
2006089931.tif 000004
【図３】
2006089931.tif 000005
【図４】
2006089931.tif 000006
【図５】
2006089931.tif 000007
【図６】
2006089931.tif 000008
(57)【要約】【課題】脂肪吸収抑制作用を有する医薬及び機能性食品を提供する。【解決手段】４−ヒドロキシイソロイシンを有効成分とする脂肪吸収抑制剤を提供する。【選択図】なし【特許請求の範囲】
【請求項１】
下記の構造式（Ｉ）で示される４−ヒドロキシイソロイシンを有効成分とする脂肪吸収抑制剤。
2006089449.tif 000004
【発明の詳細な説明】
【技術分野】
【０００１】脂肪吸収抑制を目的とした医薬品、又は食品に関する。
【背景技術】
【０００２】脂肪の過剰摂取は、これが原因で様々な生活習慣病を引き起こす。主な生活習慣病としては、肥満・糖尿病・動脈硬化・高脂血症などが挙げられ、健康を著しく損なうことになり得る。脂肪の吸収を抑制し、これらの生活習慣病を予防して改善しようとするものでは、キトサンなど幾つかの素材が知られているが、より効果の高い素材が求められている。【０００３】４−ヒドロキシイソロイシンはコロハの種などに含まれ、インスリンの分泌を促進するという報告がされている（Ｃｈｒｉｓｔｏｐｈｅ  Ｂｒｏｃａ  ｅｔ  ａＩ．，４−ｈｙｄｒｏｘｙｉｓｏｌｅｕｃｉｎｅ：ｅｆｆｅｃｔｓ  ｏｆ  ｓｙｎｔｈｅｔｉｃ  ａｎｄ  ｎａｔｕｒａｌ  ａｎａｌｏｇｕｅｓ  ｏｎ  ｉｎｓｕｌｉｎ  ｓｅｃｒｅｔｉｏｎ．，．Ｅｕｒｏｐｅａｎ  Ｊｏｕｒｎａｌ  ｏｆ  Ｐｈａｒｍａｃｏｌｏｇｙ，２０００，３９０，３３９−３４５）。しかし、脂肪吸収抑制効果があるという報告は全くない。
【発明が解決しようとする課題】
【０００４】脂肪吸収を抑制する医薬品、又は食品を提供することにある。
【課題を解決するための手段】
【０００５】上記の課題を解決するために鋭意検討を重ねた結果、４−ヒドロキシイソロイシンに、顕著な脂肪吸収阻害活性があることを見いだした。すなわち、本発明は、下記の構造式（Ｉ）で示される４−ヒドロキシイソロイシンを有効成分とする脂肪吸収抑制作用を有する医薬品、又は食品を提供する。
2006089449.tif 000002
【発明を実施するための最良の形態】
【０００６】本発明に関わる４−ヒドロキシイソロイシンとは下記の構造式（Ｉ）で示され、例えばコロハの種などから抽出してもよいし、化学的方法で合成してもよい。
2006089449.tif 000003
【０００７】本発明に関わる脂肪吸収阻害剤を製造するには、４−ヒドロキシイソロイシンを用いることができ、常法に従って公知の医薬用無毒性担体と組み合わせて製剤化すればよい。本発明に関わる脂肪吸収抑制剤は、種々の剤型での投与が可能であり、例えば、経口投与剤としては錠剤、顆粒剤、散剤、カプセル剤、ソフトカプセル剤等の固形剤、溶液剤、懸濁剤、乳剤等の液剤、凍結乾燥製剤等が挙げられ、非経口投与剤としては、注射剤のほか、坐剤、噴霧剤、経皮吸収剤等が挙げられ、これらの製剤は製剤上の常套手段により調製することができる。上記の医薬用無毒性担体としては、例えば、グルコース、乳糖、ショ糖、澱粉、マンニトール、デキストリン、脂肪酸グリセリド、ポリエチレングリコール、ヒドロキシエチルデンプン、エチレングリコール、ポリオキシエチレンソルビタン脂肪酸エステル、アミノ酸、アルブミン、水、生理食塩水等が挙げられる。また、必要に応じて、安定化剤、滑剤、湿潤剤、乳化剤、結合剤等の慣用の添加剤を適宜添加することができる。本発明に関わる脂肪吸収阻害剤において、４−ヒドロキシイソロイシンの投与量は、患者の年齢、体重、症状、疾患の程度、投与スケジュール、製剤形態等により、適宜選択・決定されるが、例えば、一日あたり０．０１〜５０ｇ／ｋｇ体重程度とされ、一日数回に分けて投与してもよい。【０００８】また、本発明に関わる４−ヒドロキシイソロイシンは、食経験も豊富なことから安全性が高いと考えられ、脂肪吸収抑制を目的として、機能性食品として摂取することもできる。本発明に関わるコロハ抽出物を含有することを特徴とする機能性食品は、特定保健用食品、栄養機能食品、又は健康食品として位置付けることができる。機能性食品としては、例えば４−ヒドロキシイソロイシン、に適当な助剤を添加した後、慣用の手段を用いて、食用に適した形態、例えば、顆粒状、粒状、錠剤、カプセル剤、ソフトカプセル剤、ペースト状等に形成したものを用いることができる。この機能性食品は、そのまま食用に供してもよく、また種々の食品（例えばハム、ソーセージ、かまぼこ、ちくわ、パン、バター、粉乳、菓子など）に添加して使用したり、水、酒類、果汁、牛乳、清涼飲料水等の飲物に添加して使用してもよい。かかる食品の形態における本発明の４−ヒドロキシイソロイシンの摂取量は年齢、体重、症状、疾患の程度、食品の形態等により適宜選択・決定されるが、例えば、一日あたり０．０１〜５０ｇ／ｋｇ体重程度とされる。
【実施例】
【０００９】以下に本発明をより詳細に説明するために実施例を挙げるが、本発明はこれらによって何ら限定されるものではない。【００１０】実施例４−ヒドロキシイソロイシンの脂肪吸収抑制活性
マウスにコーン油を経口投与すると血中中性脂肪が上昇する。コーン油と同時に被験サンプルを投与し、血中中性脂肪値の変化調べることにより被験サンプルの脂肪吸収抑制効果を調べることができる。４−ヒドロキシイソロイシンの脂肪吸収抑制効果を調べるために以下の実験を行った。すなわち８週齢、雌のｄｄＹマウスに４−ヒドロキシイソロイシン水溶液（０．３ｇ／ｋｇ）０．５ｍｌとコーン油０．２ｍｌを順次経口投与して、３時間後に採血を行った。コントロール群には水０．５ｍｌとコーン油０．２ｍｌを順次経口投与し、それぞれの血中中性脂肪濃度を測定した。その結果を表に示す。数値は平均値±標準誤差（ｍｇ／ｄｌ）。カッコ内は４−ヒドロキシイソロイシン投与群がコントロールに対する有意差を示す。（ｓｔｕｄｅｎｔのＴ−ＴＥＳＴ）【００１１】表
投与前                投与後
コントロール            ２６２±２７          ９６５±１２８
０．３ｇ／ｋｇ投与群    ２４５±２５          ５０４±８５（ｐ＜０．０５）【００１２】この結果から４−ヒドロキシイソロイシンが脂肪吸収を抑制することが示された。
【発明の効果】
【００１３】本発明により、４−ヒドロキシイソロイシンを有効成分とする脂肪吸収抑制作用を目的とした医薬品、又は食品を人問および動物に提供することができる。
(57)【要約】      （修正有）【課題】チャイルドシート、ベビーカー等、使用時による密着面の発汗および不快感を減らす。【解決手段】チャイルドシート、ベビーカー等の密着面に図１記載の発汗防止エア送風マットを用い、小型送風機により空気を送る。発汗防止エア送風マットに送られた空気はエアチューブ１に開けられた送風孔３により放出され、発汗の防止が可能となる。【選択図】図１
2006089012.tif 000002
【特許請求の範囲】
【請求項１】
市販されているチャイルドシート、ベビーカー等に装置する小型送風機、発汗防止エア送風マット。
【請求項２】
自動車用シガーライトソケットから電源を取る請求項１記載の小型送風機、発汗防止エア送風マット。
【請求項３】
充電式もしくは乾電池式、外部電源を用いて車外持ち出し可能な請求項１記載の小型送風機、発汗防止エア送風マット。
【発明の詳細な説明】
【技術分野】
【０００１】本発明は、市販されているチャイルドシート、ベビーカー等に装着可能な小型送風機、発汗防止エア送風マットに関するものである。
【背景技術】
【０００２】従来のチャイルドシート、ベビーカー等は体に密着面が多く、素材により多量の発汗を防ぐことは難しかった。
【発明の開示】
【発明が解決しようとする課題】
【０００３】チャイルドシート、ベビーカー等は体に密着していない面は発汗が防げるが密着面、特に背部、尻部においては多量の発汗および不快感を防ぐことが出来なかった。
【課題を解決するための手段】
【０００４】本発明はチャイルドシート、ベビーカー等の密着面に発汗防止エア送風マットを用い、小型送風機により空気を送る。
【発明の効果】
【０００５】本発明を取り付けることによりチャイルドシート、ベビーカー等の密着面に空気を送ることにより、多量の発汗および不快感を減らすことが出来る。【０００６】小型送風機とマットは取りはずしが可能なため用途に応じてマットの大きさを変えられる。また外部電源を用いることにより、車外持ち出し可能であり、ベビーカー、車いす等に装着可能である。
【発明を実施するための最良の形態】
【０００７】以下本発明の実施の形態を図１〜図３に基づいて説明する。【０００８】図１は発汗防止エア送風マットであり、エアチューブ（１）を固定するためネット（４）を用い、エアチューブ（１）には送風孔（３）が開いており、エアチューブ（１）の周りにスポンジ（２）も置き、間衝材とする。
体に密着する面は通気性の良い布（６）またはネットを用いる。【０００９】図１記載の発汗防止エア送風マットをチャイルドシートおよびベビーカーの背部、尻部に取り付ける。【００１０】図３は小型送風機である。車用シガーライタープラグ（１６）より電源を取り小型送風機により発生した圧縮空気をエアコネクター（６）により、接続ホース（１９）を通り、図１記載のエア送風マットに送られエアチューブ（１）に開けられた送風孔（３）により放出される。【００１１】図３記載の小型送風機には両軸モーター（９）を用い、両軸モーター（９）の双方にバランス良く、送風ファン（８）を配置することにより振動、防音材（１０）にて騒音を軽減することが出来る。また本体、吹気口（２０）にエアフィルター（７）を設けることにより埃、粉塵を除去できる。【００１２】小型送風機と発汗防止エア送風マットは取りはずしが可能なため用途に応じてマットの大きさを変えられる。【００１３】バッテリーボックス（１８）などの外部電源を用いることにより車外持ち出し可能になり、ベビーカー、車いす等に装着可能になる。
【図面の簡単な説明】
【００１４】
【図１】本発明の発汗防止エア送風マット斜視図である。
【図２】本発明の発汗防止エア送風マット断面図である。
【図３】本発明の小型送風機断面図である。
【符号の説明】
【００１５】（１）エアチューブ
（２）スポンジ
（３）送風孔
（４）ネット
（５）エアプラグ
（６）通気性の良い布、またはネット
（７）エアフィルター
（８）送風ファン
（９）両軸モーター
（１０）防音材
（１１）コントロールスイッチ
（１２）電源コネクター
（１３）（１４）接続コード
（１５）電源プラグ
（１６）シガーライタープラグ
（１７）電源コード
（１８）バッテリーボックス
（１９）エア接続ホース
（２０）吹気口
（２１）エアエネクター
【図１】
2006089012.tif 000003
【図２】
2006089012.tif 000004
【図３】
2006089012.tif 000005
(57)【要約】      （修正有）【課題】  被包装物を手で下げてバランス良く持ち運びのできる包装状態の得られる風呂敷を提供する。【解決手段】  一方の相対する両隅部１ａ，１ａを被包装物を存して互いに結ぶ方形状シート１主体の他の一方の相対する両隅部に、該他の一方の両隅部間方向と直交する方向に長い窓口３を設けて隅部端側を把手２とする。そして、把手２には、該把手同士間で互いに吸着させるそれぞれ一対の磁石片６，６を装置する。【選択図】  図１
2006089079.tif 000002
【特許請求の範囲】
【請求項１】
一方の相対する両隅部を被包装物を存して互いに結ぶ方形状シート主体の他の一方の相対する両隅部に、該他の一方の両隅部間方向と直交する方向に長い窓口を設けて隅部端側を把手と成し、該把手には、該把手同士を互いに吸着させる磁石を装置した、風呂敷。
【請求項２】
把手部の芯材に一対の磁石片を、把手部間において互いに一致させて配置した、請求項１記載の風呂敷。
【発明の詳細な説明】
【技術分野】
【０００１】
本発明は風呂敷に関するものである。
【０００２】
風呂敷は、対向線上の両隅部を互いに結んで被包装物を包んで該被包装物を持ち運こぶために用いるため、手に下げての持ち運こびができない、という欠点がある。
【０００３】
この欠点を回避するために、隅部に切目を設けて該切目を指先挿通用の孔に転用させて手で下げる為の孔を設けた構成のもの（例えば、特許文献１）や、隅部に紐体をリング状にして取付け、該紐体を把手として適用するようにした構造のものがある（例えば、特許文献２）。
【０００４】
【特許文献１】実用新案登録第３０１５６２２号公報
【特許文献２】実用新案登録第３０９２３９３号公報
【発明の開示】
【発明が解決しようとする課題】
【０００５】
前記従来例は、シート主体に切目を設けたり、紐体をリング状にして取付けたりして、把手に供して手で下げて物品を持ち運こびすることを期待するものではあるが、切目等に指先を入れて手に下げたときは、被包装物の荷重が構造的に一点に集中し易く、耐荷重性に問題があり、また、持ち運こび（携帯）時にバランスがとりにくく、手で下げて持ち運こぶために供するには必ずしも実用的ではない。
【０００６】
本発明は斯様な従来例の欠点に着目し、被包装物を手で下げて持ち運こぶためのものとしても不都合なく適用することのできる風呂敷を提供すべく創案したものである。
【課題を解決するための手段】
【０００７】
一方の相対する両隅部を被包装物を存して互いに結ぶ方形状シート主体の他の一方の相対する両隅部に、該他の一方の両隅部間方向と直交する方向に長い窓口を設けて隅部端側を把手と成し、該把手には、該把手同士を互いに吸着させる磁石を装置した構成としたものである。
【発明の効果】
【０００８】
本発明によれば、一方の相対する両隅部を結んだ後、他の一方の相対する両隅部に設けた把手部を互いに吸着させることにより、把手付バッグのように被包装物を手で下げて持ち運ぶ状態を得られ、磁石を利用して把手部同士を一体的にして包装状態とするものであるから、把手部同士を近接させるだけで当該状態を得られ、従って、暗がりでも包装作業を不都合なく行うことができる。
【０００９】
なおまた、把手部の芯材に一対の磁石片を、把手部間において互いに一致させて配置した構成にすることにより、把手部同士は２点で互いに吸着されることになるから、把手部同士を自動的に正位置に一体的にして配することができ、使い勝手上好適である。
【実施例】
【００１０】
図面は本発明に係る風呂敷の一実施例を示し、図１は平面図、図２は図１の一部欠截拡大図、図３は図２のａ−ａ線拡大断面図、図４は芯材の一部分解斜視図、図５は手提げ状態時の斜視図である。
【００１１】
図示１は、本発明に係る風呂敷Ａの方形状シート主体で、主体１は、互いに色や模様を違えた片面側の布シート１´と他の片面側の布シート１´を縫着して、表裏自在に選択していわゆるリバーシブルに適用できるようにしたもので、一方の相対する（対角線上の）両隅部１ａ，１ａを被包装物ｂを介して互いに結び合わせ、他の一方の相対する（対角線上の）両隅部１ｂ，１ｂに設けた把手２を互いに重ね合わせ、該把手２を手で下げて被包装物ｂの持ち運びをできるようにしたものである。
【００１２】
把手２は、シート主体１の一方の相対する両隅部１ｂ，１ｂ側に該隅部１ｂ，１ｂ間方向と直交する方向に長い窓口３を指先を挿通できる程度にして設け、この窓口３と該窓口３と平行する前記隅部１ｂの直縁状の隅部端縁１ｂ´間によって構成したもので、シート主体１を構成する前記布シート１´，１´の一部で成る表面材４，４間に帯板（扁平長板）状の芯材５を介在させ、該芯材５に把手２，２間で互いに吸着する一対の磁石片６，６を装着したものである。
【００１３】
磁石片６は、前記窓口３の長手方向に沿う両側にして芯材５に設けた装着孔７，７に係合し、芯材５の両面に金属片８を貼着して装着孔７を塞ぐようにして芯材５に装着したもので、把手片２，２の対向面側を互いに吸着する磁極としてある（一方の把手片２側をＮ極としたとき、他方をＳ極とするように）。
【００１４】
なお、シート状の金属片８は磁石片６の磁力を増大させるもので、他の材質のシート片を用いて前記装着孔７を塞ぐようにしても良い。
【００１５】
図示、９は、布シート１´より厚手の布シートで、図３で示すように布シート１´に貼着して、把手片２部を含んだ窓口３の周辺部を補強したもので、１０はこれら布シート１´、布シート９に縫着した窓口３の縁取り材（布シート製の）である。
【００１６】
しかして、シート主体１の中央部に被包装物ｂを載置し、相対する一方の両隅部１ａ，１ａを該包装物ｂを介して互いに結び、他の一方の相対する両隅部１ｂ，１ｂ側の把手２，２を互いに近接させると、把手２，２に互いに吸着する方向に配した磁石片６，６によって両把手２，２は互いに吸着され、しかも、それぞれの把手片２に備えた一対の磁石片６，６が把手片２，２間において吸着されるので（いわば、２点で吸着されるので）、把手２，２同士は互いに一致する位置関係で一体的になり、把手２を手提げとする包装状態を簡単に得られるのである。
【図面の簡単な説明】
【００１７】
【図１】平面図。
【図２】図１の一部欠截拡大図。
【図３】図２のａ−ａ線拡大断面図。
【図４】芯材の一部分解斜視図。
【図５】手提げ状態時の斜視図。
【符号の説明】
【００１８】
１          シート主体
１ａ，１ｂ  隅部
２          把手
３          窓口
６          磁石片
【図１】
2006089079.tif 000003
【図２】
2006089079.tif 000004
【図３】
2006089079.tif 000005
【図４】
2006089079.tif 000006
【図５】
2006089079.tif 000007
(57)【要約】【課題】乳児用の粉乳などには専用のさじが付属されているが、粉乳を収納した容器にはさじの収納部分がない為、さじは容器から離れた場所に保管しなければならず、子育て中の多忙な母親が感じている、いざと言う時に必要なものが手元に無いと言う事のわずらわしさ、面倒しさを解消するために、粉乳容器にさじを一体化できるさじ入れ容器を提供することである。【解決手段】座板１とカバー４、キャップ５とによって形成したさじ入れ容器１０は、キャップ５によって密封が図れるようにしたことで、さじを衛生的に保管できる、またさじを粉乳容器と一体保管するため、さじ入れ容器１０が容器の外部に容易に装着できるように、座板１に設けた穴２に吸盤３（永久磁石７）を取り付けた。【選択図】  図７
2006089048.tif 000002
【特許請求の範囲】
【請求項１】
乳児用の粉乳などを収納する容器と、粉乳を計量するさじとを一体化して保管するために、部材を組み合わせて形成したさじの収納容器と、該収納容器に吸盤を取り付けた事を特徴とする、さじ入れ容器。
【請求項２】
乳児用の粉乳などを収納する容器と、粉乳を計量するさじとを一体化して保管するために、部材を組み合わせて形成したさじの収納容器と、該収納容器に永久磁石を取り付けた事を特徴とする、さじ入れ容器。
【発明の詳細な説明】
【技術分野】
【０００１】
この発明は、主に粉乳など粉体の計量に使用するさじを、衛生的に保管でき且つ粉体の収納容器に容易に装着できるようにした、さじ入れ容器に関する。
【背景技術】
【０００２】
乳児用の粉乳などを収納する容器は一般的に缶体が使用され、粉乳を取り出す為に計量ができ、さらに哺乳瓶に入れ易いような形状に成型された、専用のさじが缶体内に付属されているのが普通である。
【０００３】
しかし、開缶後一度でも使用したさじを缶体内に収納することは衛生上好ましい事ではなく、各粉乳メーカーの注意書きにおいてもさじは缶体内に入れず、衛生的に保管して下さいと記してあるが、缶体外部においてもさじの収納部が設けられていない為、缶体とは全く別の場所に保管していた。
【０００４】
この改善策として、さじを衛生的に収納できるさじ入れ容器を、缶体外部に容易に装着できるように構成することで、缶体とさじが一体化され別保管に比べ利便性が図れる。
【特許文献１】特開２００４−６５９０３号公報
【特許文献２】登録実用新案第３０２３４６２号
【発明の開示】
【発明が解決しようとする課題】
【０００５】
解決しようとする問題点は、従来この種の缶体にはさじの収納部が設けられていないため、さじを缶体とは全く別の場所に保管しなければならず、育児の多忙さに加え、授乳時に家事や所用の都合も重なった場合など、単にさじが缶体と一体保管でないことに、いがいと面倒しさを感じるものである。
【０００６】
そこで、本発明は上記課題を解決するために、粉乳に付属されているさじを衛生的に収納し、且つ缶体に容易に装着できるさじ入れ容器を提供する。
【課題を解決するための手段】
【０００７】
本発明は、樹脂版を用いて製作した座板と、カバーと、キャップとを組み合わせて成る筒状の容器と、前記座板の一部に吸盤を装着してさじ入れ容器を形成し、前記吸盤を缶体に密着させることによって缶体とさじを分離させることなく、一体保管できるように構成した。
【発明の効果】
【０００８】
上述のとおり、粉乳の缶体にさじ入れ容器が密着していることから、従来のように別の場所までさじを取りに行く手間を省くことができる。
【０００９】
また、缶体とさじが別保管であっても、さほど気にならないと思われがちであるが、授乳のタイミングは家事の都合や所用に関係なく、さらにはお腹をすかせた乳児の鳴き声も加算され、育児中の母親には精神的に安堵感が得られる時間が少ないものであり、缶体とさじを一体化した僅かな利便性だけでも精神的な安堵感が得られる上、さじは密封状態の容器に収納されるため衛生的でもある。
【発明を実施するための最良の形態】
【００１０】
以下、本発明の実施の一形態を図面に基づいて詳説する。
【実施例１】
【００１１】
図１は、本発明の請求項１の構成を示し、さじ入れ容器を右前面から見た斜視図、図２は同さじ入れ容器を同背面から見た斜視図であって、図３、図４、図５は、さじ入れ容器を構成する各部材の斜視図を示している。図６は、本発明のさじ入れ容器を缶体に装着した側面図であり、図中の２点鎖線はさじを示している。
【００１２】
さじ入れ容器１０は、座板１と、カバー４と、キャップ５と、吸盤３とによって形成されている。
【００１３】
さらに詳しくは、樹脂板をＬ字型に曲げ加工し、吸盤３を取り付ける為の穴２を設けた座板１と、同じく樹脂板をコの字型に曲げ加工したカバー４とを接合させ、さじの収納スペースを形成している、またキャップ５は樹脂板を用い、下部を開放させた箱型に成型加工し、該開放部が前記座板１とカバー４を上部から覆い嵌合するようにしている、さらにキャップ５の一面には切り欠き部６を設け、吸盤３のスペースを確保している。
【００１４】
このように、さじ入れ容器１０に吸盤３を設けたことにより、容易に缶体への着脱ができる上、座板１とカバー４を上部からキャップ５が嵌合するため、さじを衛生的に保管することができる。
【実施例２】
【００１５】
図６は、本発明の、請求項２の構成を示す、さじ入れ容器の断面図である。
【００１６】
請求項２の発明においては、前述した缶体の多くがスチール製であることから、請求項１における吸盤３が、永久磁石７であるさじ入れ容器２０を構成したものであって、吸盤３が永久磁石７に置換されるのみであり、他の部材は全て実施例１と同一のため詳説は省略する。
【００１７】
なお、本発明の実施例を上述のように記したが、乳児用の粉乳に限らず、例えばお茶でも良く、対象は粉乳に限定するものではない、また、さじ入れ容器１０を形成する各素材は樹脂板に限定するものでなく、例えば布を筒状に縫製しても良く、アルミ材やステンレス材でも構わない、要旨を逸脱しない範囲において素材、形状の変更は自由にできる。
【図面の簡単な説明】
【００１８】
【図１】請求項１に係る、さじ入れ容器の右前方斜視図である。
【図２】同、さじ入れ容器の右後方斜視図である。
【図３】同、座板の斜視図である。
【図４】同、カバーの斜視図である。
【図５】同、キャップの斜視図である。
【図６】請求項２に係る、さじ入れ容器の断面図である。
【図７】さじ入れ容器が缶体に密着した側面図である。
【符号の説明】
【００１９】
１    座板
２    穴
３    吸盤
４    カバー
５    キャップ
６    切り欠き部
７    永久磁石
１０    さじ入れ容器（請求項１）
２０    さじ入れ容器（請求項２）
３０    缶体
【図１】
2006089048.tif 000003
【図２】
2006089048.tif 000004
【図３】
2006089048.tif 000005
【図４】
2006089048.tif 000006
【図５】
2006089048.tif 000007
【図６】
2006089048.tif 000008
【図７】
2006089048.tif 000009